(57)【要約】【課題】  操作性を損なうことなく、多くの情報を表示可能な携帯端末装置を提供する。【解決手段】  携帯電話機１は、表示部１０１を有する上部筐体１１とタッチパネル部１０２を有する下部筐体１２から構成される。タッチパネル部１０２は、実行中のアプリケーションに応じて各種操作ボタンが表面に表示され、表示された操作ボタンへの利用者による接触操作を指示入力として取り込むタッチパネル機能を備えたディスプレイである。タッチパネル部１０２の画面には、アプリケーションの動作状況に合わせて必要な操作ボタンのみを表示し、残りのスペースは情報の表示に使用する。このように、表示部１０１とタッチパネル部１０２との双方で情報の表示を行うことで、一度に表示する情報量を増やすことができる。【選択図】      図１
2007036544.tif 000002
【特許請求の範囲】
【請求項１】
情報を表示する第１の画面を有する情報表示部と、タッチパネル機能を有する第２の画面を有するタッチパネル部と、前記タッチパネル部における表示を制御するタッチパネル制御部とを具備する携帯端末装置において、
前記タッチパネル制御部は、
各種操作ボタンを前記第２の画面に表示し、利用者による当該操作ボタンへの接触操作を指示入力とするタッチパネル操作手段と、
アプリケーション毎に前記第２の画面に表示する前記操作ボタンの種類および配置を記憶する操作ボタン配置記憶手段と、
表示する前記操作ボタンの種類および配置を前記操作ボタン配置記憶手段から取得し、当該操作ボタンの配置後に前記第２の画面に情報を表示するスペースがあるか否かを判定する情報表示判定手段と、
前記情報表示判定手段でスペースがあると判定した場合に、前記第２の画面の当該スペースに情報を表示する情報表示手段と、
を備えていることを特徴とする携帯端末装置。
【請求項２】
前記操作ボタン配置記憶手段に記憶されている前記操作ボタンの種類および配置を前記携帯端末装置のユーザが変更する操作ボタン配置変更手段を備えていることを特徴とする請求項１に記載の携帯端末装置。
【請求項３】
前記タッチパネル制御部は、前記情報表示手段による情報の表示を可能にするか否かを設定する情報表示設定手段を備えていることを特徴とする請求項１または請求項２に記載の携帯端末装置。
【発明の詳細な説明】
【技術分野】
【０００１】
本発明は、タッチパネル機能を備えた携帯端末装置に関する。
【背景技術】
【０００２】
従来、携帯電話機等の携帯端末装置においては、その表示部に液晶ディスプレイを備え、その操作部に押しボタンを備えていた。しかし、近年、携帯電話機が電話機能のほかメール機能、インターネット接続機能など様々な機能を備えるようになったことで、利用者がこれらの機能を利用するときには、限られた数の押しボタンで複雑な操作を行う必要があった。
【０００３】
この問題を解決する方法として、表示部の液晶ディスプレイにタッチパネル機能を付加し、利用者が液晶ディスプレイに触れることで操作を可能としたタッチパネル型携帯電話機が開発されている。タッチパネル型携帯電話機の利用者は、表示部のタッチパネル機能による操作と操作部の押しボタンによる操作との双方を使用することが可能であり、簡単な操作で様々な機能を利用することができる。なお、本出願に関する従来技術の参考文献として、特許文献1および特許文献2が知られている。
【特許文献１】特開２００２−２２９７１９号公報
【特許文献２】特開２００３−１５２８５１号公報
【発明の開示】
【発明が解決しようとする課題】
【０００４】
しかし、上述したタッチパネル型携帯電話機では、携帯電話機の操作性を向上させることは可能であるが、表示部の液晶ディスプレイで表示可能な情報量は従来の携帯電話機と変わらない。そのため、携帯電話機の多機能化によって表示すべき情報量が増大すると、一画面では全ての情報を表示できなくなり、全ての情報を見るためには利用者が画面をスクロールする等の操作を行う必要があった。
【０００５】
本発明は上記事情を考慮してなされたもので、その目的は、操作性を損なうことなく、多くの情報を表示可能な携帯端末装置を提供することにある。
【課題を解決するための手段】
【０００６】
本発明は上記の課題を解決するためになされたもので、請求項1に記載の発明は、情報を表示する第１の画面を有する情報表示部と、タッチパネル機能を有する第２の画面を有するタッチパネル部と、前記タッチパネル部における表示を制御するタッチパネル制御部とを具備する携帯端末装置にであって、前記タッチパネル制御部は、各種操作ボタンを前記第２の画面に表示し、利用者による当該操作ボタンへの接触操作を指示入力とするタッチパネル操作手段と、アプリケーション毎に前記第２の画面に表示する前記操作ボタンの種類および配置を記憶する操作ボタン配置記憶手段と、表示する前記操作ボタンの種類および配置を前記操作ボタン配置記憶手段から取得し、当該操作ボタンの配置後に前記第２の画面に情報を表示するスペースがあるか否かを判定する情報表示判定手段と、前記情報表示判定手段でスペースがあると判定した場合に、前記第２の画面の当該スペースに情報を表示する情報表示手段と、を備えていることを特徴としている。
【０００７】
また、請求項２に記載の発明は、請求項１に記載の発明において、前記操作ボタン配置記憶手段に記憶されている前記操作ボタンの種類および配置を前記携帯端末装置のユーザが変更する操作ボタン配置変更手段を備えていることを特徴としている。
【０００８】
また、請求項３に記載の発明は、請求項１または請求項２に記載の発明において、前記タッチパネル制御部は、前記情報表示手段による情報の表示を可能にするか否かを設定する情報表示設定手段を備えていることを特徴としている。
【発明の効果】
【０００９】
本発明によれば、携帯電話機の操作部がタッチパネル機能を備えたディスプレイとなっており、操作部の一部を情報の表示に使用することで多くの情報を表示することができる。また、アプリケーションの動作状況に応じて、利用者が必要とする操作ボタンを自動的に選択して操作部に表示し、残ったスペースに情報の表示を行うことで、操作性を損なうことなく多くの情報を表示することができる。また、タッチパネル部に表示する操作ボタンの種類および配置を変更可能とすることで、各使用者が操作しやすいように設定することができる。
【発明を実施するための最良の形態】
【００１０】
以下、図面を参照して本発明の実施形態について説明する。図１は、本発明の実施形態にかかる携帯電話機（携帯端末装置）を示した外観図である。図１において、携帯電話機１は２つの筐体、すなわち上部筐体１１と下部筐体１２とで構成される。上部筐体１１は表示部１０１を備え、下部筐体１２はタッチパネル部１０２を備えている。
【００１１】
図２は、図１の携帯電話機１の構成を示したブロック図である。図２において、表示部１０１は、上部筐体１１に設けられ、利用者に示すべき情報を表示する液晶ディスプレイ（第１の画面）である。タッチパネル部１０２は、実行中のアプリケーションに応じて各種操作ボタンが表面に表示され、表示された操作ボタンへの利用者による接触操作を指示入力として取り込むタッチパネル機能を備えた液晶ディスプレイ（第２の画面）である。
【００１２】
無線通信部１０３は、送信信号によって搬送波を変調してアンテナ１０４から送信し、また、アンテナ１０４によって受信した信号を復調し、音声処理部１０５またはバスライン１１３へ出力するものである。アンテナ１０４は、図示しない無線基地局との間で電波信号の送受信を行うためのアンテナである。
【００１３】
音声処理部１０５は、マイク１０６が集音したアナログ音声をデジタル信号に変換し圧縮して無線通信部１０３へ出力するものである。また、音声処理部１０５は無線通信部１０３で復調されたデジタル音声データを伸張しアナログ音声信号に変換して、スピーカ１０７へ出力し発音させるものである。マイク１０６は、音声をアナログ信号として集音し音声処理部１０５へ出力するものである。スピーカ１０７は、音声処理部１０５から入力したアナログ音声信号を発音するものである。
【００１４】
ＣＰＵ１０８は、携帯電話機１内の各部を制御するＣＰＵ（Ｃｅｎｔｒａｌ  Ｐｒｏｃｅｓｓｉｎｇ  Ｕｎｉｔ）である。ＲＡＭ１０９は、ＣＰＵ１０８が使用するメモリ領域を提供するＲＡＭ（Ｒａｎｄｏｍ  Ａｃｃｅｓｓ  Ｍｅｍｏｒｙ）である。ＲＡＭ１０９は例えば、各アプリケーション起動時に表示部１０１およびタッチパネル部１０２にどのような情報を表示するかのデフォルト設定や、各アプリケーション起動中にタッチパネル部１０２に表示する操作ボタンの種類および配置を記憶する。ＲＯＭ１１０は、ＣＰＵ１０８が実行するプログラム等を保持するＲＯＭ（Ｒｅａｄ  Ｏｎｌｙ  Ｍｅｍｏｒｙ）である。
【００１５】
音源１１１は、楽音信号を生成する回路であり、例えばＦＭ（Ｆｒｅｑｕｅｎｃｙ  Ｍｏｄｕｌａｔｉｏｎ）音源やＷＴ（Ｗａｖｅ  Ｔａｂｌｅ）音源等である。楽音再生スピーカ１１２は、音源１１１から出力された楽音信号を再生するものである。バスライン１１３は、携帯電話機１内の各部を相互に接続するバスラインである。
【００１６】
次に、上述した実施形態の動作を図３および図４を参照して説明する。本実施形態では、タッチパネル部１０２は利用者による接触操作を取り込む各種操作ボタンの表示を行う操作機能だけでなく、表示部１０１とともに情報を表示する表示機能を備えている。図３は、携帯電話機１でアプリケーションを起動したときに、タッチパネル部１０２の表示を決定する手順を示したフローチャートである。
【００１７】
図３において、利用者が携帯電話機１のタッチパネル部１０２を操作してアプリケーションを起動すると（ステップＳ３０１）、ＣＰＵ１０８はタッチパネル部１０２の表示機能が有効に設定されているかを確認する（情報表示設定手段、ステップＳ３０２）。ここで利用者は、表示機能を無効にしてタッチパネル部１０２を操作機能としてのみ使用するか、あるいは表示機能を有効にして操作機能および表示機能の双方の機能を持つものとして使用するかを予め選択して設定する。
【００１８】
タッチパネル部１０２の表示機能が無効になっている場合は（ステップＳ３０２：Ｎｏ）、ＣＰＵ１０８はアプリケーション表示のデフォルトの設定をＲＡＭ１０９から読み出し、表示部１０１にアプリケーションの表示を、タッチパネル部１０２にアプリケーションの操作に必要となる各種操作ボタンの表示を行う（ステップＳ３０３）。
【００１９】
一方、タッチパネル部１０２の表示機能が有効になっている場合は（ステップＳ３０２：Ｙｅｓ）、ＣＰＵ１０８はタッチパネル部１０２に表示する操作ボタンの種類および配置をＲＡＭ１０９から読み出す（ステップＳ３０４）。
【００２０】
ここで、ＲＡＭ１０９で記憶されているデフォルトの設定では、タッチパネル部１０２に表示する操作ボタンは必要最小限のものとなっている。例えば、図４の（ａ）に示すように、受信したメールを表示する画面では、上下のスクロールボタンおよびメニューの呼び出しボタンのみを操作ボタンとしてタッチパネル部１０２の画面下部に表示する。
【００２１】
また、図４の（ｂ）に示すように、メールを作成する画面では、文字入力等の操作が必要であるため、０から９のテンキー、＊および＃のキー、メニュー呼び出しボタンおよびカーソル移動ボタンをタッチパネル部１０２の画面全体に表示する。なお、タッチパネル部に表示する操作ボタンの種類および配置は、利用者がデフォルトの設定から自分に適した設定へと変更することが可能である。
【００２２】
ステップＳ３０４で読み出した情報に基づいてＣＰＵ１０８がタッチパネル部１０２への各種操作ボタンの表示を終了すると、続いてタッチパネル部１０２に情報を表示するスペースがあるかどうかを判定する（情報表示判定手段、ステップＳ３０５）。図４の（ｂ）に示すように、情報を表示するスペースがない場合には（ステップＳ３０５：Ｎｏ）、ＣＰＵ１０８は従来の携帯電話機と同様に表示部１０１にのみ起動中のアプリケーションに応じた表示を行う（ステップＳ３０６）。
【００２３】
一方、図４の（ａ）に示すように、情報を表示するスペースがある場合には（ステップＳ３０５：Ｙｅｓ）、ＣＰＵ１０８は表示部１０１およびタッチパネル部１０２の開いたスペースの双方に起動中のアプリケーションに応じた表示を行う（情報表示手段、ステップＳ３０７）。例えば、受信したメールを表示する画面では、表示部１０１にはメール本文を、タッチパネル部１０２には当該メール本文の続きおよびメールに添付された画像を表示する。
【００２４】
以後、利用者がアプリケーションの実行中は（ステップＳ３０８：Ｎｏ）、ステップＳ３０５からステップＳ３０８までを繰り返し実行する。このように、ＣＰＵ１０８はタッチパネル部１０２に情報を表示可能なスペースがあるかを常時監視し、スペースがあれば表示する。タッチパネル部１０２への表示を常時監視することで、利用者による操作を多く必要とするときは操作ボタンの表示を重点的に行い、利用者による操作をほとんど必要としないときには情報表示を重点的に行うというように、アプリケーションの動作状況に合わせて表示を動的に変化させることが可能である。
【００２５】
本実施形態では、タッチパネル部１０２を情報の表示に利用することで、従来の携帯電話機よりも多くの情報を表示することが可能になり、図４で紹介したメールの送受信の画面のほか、各種ゲームやインターネットのＷｅｂ画面の表示に最適である。また、従来の携帯電話機では表示部１０１に表示していた、各種操作ボタンの説明や漢字変換の際の変換候補文字等の情報をタッチパネル部１０２に表示することも可能である。
【００２６】
以上、本発明の実施形態を詳述してきたが、具体的な構成は本実施形態に限られるものではなく、本発明の要旨を逸脱しない範囲の設計変更等も含まれる。
【産業上の利用可能性】
【００２７】
本発明は、タッチパネル機能を備えた携帯電話機に用いて好適である。
【図面の簡単な説明】
【００２８】
【図１】本発明の実施形態にかかる携帯電話機を示した外観図である。
【図２】図１の携帯電話機１の構成を示したブロック図である。
【図３】図１の携帯電話機１におけるタッチパネル部１０２の表示を決定する手順を示したフローチャートである。
【図４】図１の携帯電話機１で表示する情報を示した模式図である。
【符号の説明】
【００２９】
１…携帯電話機（携帯端末装置）、１１…上部筐体、１２…下部筐体、１０１…表示部、１０２…タッチパネル部、１０３…無線通信部、１０４…アンテナ、１０５…音声処理部、１０６…マイク、１０７…スピーカ、１０８…ＣＰＵ、１０９…ＲＡＭ、１１０…ＲＯＭ、１１１…音源、１１２…楽音再生スピーカ
【図１】
2007036544.tif 000003
【図２】
2007036544.tif 000004
【図３】
2007036544.tif 000005
【図４】
2007036544.tif 000006